(57)【特許請求の範囲】
【請求項１】
抽斗の出し入れ方向に延びる側板と、前記側板の上方に配置され、前記側板と平行に延びる棒状の保護体との間に配置される矩形平板状のガイドプレートを取付けるための一対の取付具よりなるガイドプレート取付具であって、
前記取付具の各々は、
前記保護体に脱着自在に取付けられ、前記ガイドプレートの上端の一部を支持することができる上部支持体と、
前記側板に脱着自在に取付けられ、前記ガイドプレートの下端の一部を支持することができる下部支持体とを備えた、ガイドプレート取付具。
【請求項２】
前記下部支持体は、合成樹脂よりなり、前記ガイドプレートの下端における角部を支持すると共に、前記角部の垂直端面に当接する壁部を有する、請求項１記載のガイドプレート取付具。
【請求項３】
前記上部支持体は、合成樹脂よりなり、
前記保護体の半面を囲うようにして下方に延びる第１垂下片と、
前記第１垂下片に折り曲げ自在に接続され、前記保護体の他の半面を囲うようにして下方に延びる第２垂下片とを含み、
前記第１垂下片の一部と前記第２垂下片の一部との間で前記ガイドプレートは当接状態で支持される、請求項１又は請求項２記載のガイドプレート取付具。
【請求項４】
前記第１垂下片には、前記ガイドプレートに当接する部分以外の位置に開口が形成され、
前記第２垂下片には、前記開口に抜け止め状態に係合する少なくとも１つの突起体が形成される、請求項３記載のガイドプレート取付具。
【発明の詳細な説明】
【技術分野】
【０００１】
この発明はガイドプレート取付具に関し、特に、抽斗内の収納物の落下防止用のガイドプレートを取付けるためのガイドプレート取付具に関するものである。
【背景技術】
【０００２】
図１０は従来のガイドプレート取付具を備える抽斗構造体の概略正面図であり、図１１は図１０で示したＸＩ−ＸＩラインの拡大断面図であり、図１２は図１１で示したＸＩＩ−ＸＩＩラインの断面図であり、図１３は図１１で示したＸＩＩＩ−ＸＩＩＩラインの拡大断面図であり、図１４は図１１で示したＸＩＶ−ＸＩＶラインの拡大断面図である。
【０００３】
これらの図を参照して、抽斗構造体５０は、その前面が開放された箱状の収納体５１と、収納体５１に図示しないスライドレールによって引出し自在に取付けられた上下左右に整列する複数の抽斗６０とを備えている。抽斗６０は、その前面に位置する矩形状の前扉６１と、前扉６１から出し入れ方向（図１１の左右方向）であって収納側（図１１の右側）に延びる矩形状の底板６２及び側板６３ａ、６３ｂと、底板６２及び側板６３ａ、６３ｂの収納側端部に接続された矩形状の背板６４とによって、上面側を開口とする箱状に形成されている。又、前扉６１の外面には、棒状の把持部６６が取付けられている。
【０００４】
尚、前扉６１及び背板６４の高さは、側板６３ａ、６３ｂより高く形成されており、前扉６１及び背板６４の上部の各々を掛け渡すように、側板６３ａ、６３ｂの各々と平行に丸棒状の保護体６５ａ、６５ｂ（図示せず）が設置されている。即ち、保護体６５ａ、６５ｂの各々は、側板６３ａ、６３ｂの各々の上方に平行に延びるように配置されている。
【０００５】
又、側板６３ａ、６３ｂの各々と保護体６５ａ、６５ｂの各々との間の略全面を塞ぐように、抽斗５０に収納される収納物の落下防止用の矩形平板状のガイドプレート６７ａ、６７ｂが設置されている。ガイドプレート６７ａ、６７ｂの各々は、第１支持体７１ａ、７１ｂの各々及び第２支持体８１ａ、８１ｂの各々で構成される、ナイロン樹脂よりなるガイドプレート取付具７０ａ、７０ｂの各々によって取付けられている。尚、側板６３ａ、６３ｂ側の各々で用いられているガイドプレート取付具７０ａ、７０ｂは左右対称に形成されているため、以降では側板６３ａ側のガイドプレート取付具７０ａについてのみ説明する。
【０００６】
ガイドプレート取付具７０ａの第１支持体７１ａは、ガイドプレート６７ａの前面側の端部全体を挟み込むように形成された断面コの字形状の胴部７２と、胴部７２の上端に接続され、保護体６５ａの略半面を囲うように形成された第１係合部７３と、胴部７２の下端に接続され、側板６３ａの上端部を挟み込むように形成された第２係合部７４とから構成されている。
【０００７】
又、第２支持体８１ａは、ガイドプレート６７ａの背面側の端部全体を挟み込むように形成された断面コの字形状の胴部８２と、胴部８２の下端に接続され、側板６３ａの上端部を挟み込むように形成された係合部８３と、係合部８３に接続されて上方に延び、抽斗６０の背板６４の幅方向（図１２の上下方向）の端面に図示しない突起等によって係合する背板係合部８４とから構成されている。
【０００８】
ガイドプレート６７ａは、このようなガイドプレート取付具７０ａによって側板６３ａと保護体６５ａとの間に取付けられているため、安定した設置状態となり収容物の不用意な飛び出しを防止する。
【発明の概要】
【発明が解決しようとする課題】
【０００９】
上記のような従来のガイドプレート取付具では、取付けるガイドプレートの大きさが制限されるものであった。即ち、第１支持体及び第２支持体の各々は一体的に形成されているため、その形状に対応した上下の大きさのガイドプレートのみ取付けることができるものであった。更には、図１１で示すように、第１支持体における係合部間の距離は、側板と保護体との距離Ｈ１に対応する必要があった。従って、特定構造の抽斗に対して特定の上下の大きさのガイドプレートを取付けることしかできなかった。
【００１０】
又、例えば図１１で示すガイドプレートの出し入れ方向の幅Ｌ１が短いガイドプレートを使用する場合には、第２支持体が抽斗の背板に固定されているため、ガイドプレートを所望の位置（例えば中央部）に設置することができなかった。
【００１１】
この発明は、上記のような課題を解決するためになされたもので、種々の大きさのガイドプレートを取付けることのできるガイドプレート取付具を提供することを目的とする。
【課題を解決するための手段】
【００１２】
上記の目的を達成するために、請求項１記載の発明は、抽斗の出し入れ方向に延びる側板と、側板の上方に配置され、側板と平行に延びる棒状の保護体との間に配置される矩形平板状のガイドプレートを取付けるための一対の取付具よりなるガイドプレート取付具であって、取付具の各々は、保護体に脱着自在に取付けられ、ガイドプレートの上端の一部を支持することができる上部支持体と、側板に脱着自在に取付けられ、ガイドプレートの下端の一部を支持することができる下部支持体とを備えたものである。
【００１３】
このように構成すると、ガイドプレートの上端及び下端がそれぞれ支持される。
【００１４】
請求項２記載の発明は、請求項１記載の発明の構成において、下部支持体は、合成樹脂よりなり、ガイドプレートの下端における角部を支持すると共に、角部の垂直端面に当接する壁部を有するものである。
【００１５】
このように構成すると、壁部によりガイドプレートの移動が阻止される。
【００１６】
請求項３記載の発明は、請求項１又は請求項２記載の発明の構成において、上部支持体は、合成樹脂よりなり、保護体の半面を囲うようにして下方に延びる第１垂下片と、第１垂下片に折り曲げ自在に接続され、保護体の他の半面を囲うようにして下方に延びる第２垂下片とを含み、第１垂下片の一部と第２垂下片の一部との間でガイドプレートは当接状態で支持されるものである。
【００１７】
このように構成すると、保護体を囲うように取付けることができる。
【００１８】
請求項４記載の発明は、請求項３記載の発明の構成において、第１垂下片には、ガイドプレートに当接する部分以外の位置に開口が形成され、第２垂下片には、開口に抜け止め状態に係合する少なくとも１つの突起体が形成されるものである。
【００１９】
このように構成すると、第１垂下片と第２垂下片とが不用意に離れない。
【発明の効果】
【００２０】
以上説明したように、請求項１記載の発明は、ガイドプレートの上端及び下端がそれぞれ支持されるため、ガイドプレートの大きさに拘わらず支持が可能となる。
【００２１】
請求項２記載の発明は、請求項１記載の発明の効果に加えて、壁部によりガイドプレートの移動が阻止されるため、ガイドプレートの支持状態が安定する。
【００２２】
請求項３記載の発明は、請求項１又は請求項２記載の発明の効果に加えて、保護体を囲うように取付けることができるため、両端が固定された保護体への取付けが容易となる。
【００２３】
請求項４記載の発明は、請求項３記載の発明の効果に加えて、第１垂下片と第２垂下片とが不用意に離れないため、上部支持体のガイドプレートの支持状態が安定する。
【図面の簡単な説明】
【００２４】
【図１】この発明の第１の実施の形態によるガイドプレート取付具を備える抽斗構造体を示す断面図である。
【図２】図１で示したＩＩ−ＩＩラインの拡大断面図である。
【図３】図２で示したＩＩＩ−ＩＩＩラインの断面図である。
【図４】図１で示した上部支持体の取付け前の状態を示す側面図である。
【図５】図４で示したＶ−Ｖラインから見た図である。
【図６】図１で示したガイドプレート取付具によるガイドプレートの取付方法を示した概略図である。
【図７】図１で示したガイドプレート取付具を備える他の抽斗構造体を示す断面図である。
【図８】この発明の第２の実施の形態によるガイドプレート取付具の上部支持体の取付け前の状態を示す側面図である。
【図９】図８で示した上部支持体を示す断面図であって、（１）は第１の使用形態を示すものであり、（２）は第２の使用形態を示すものである。
【図１０】従来のガイドプレート取付具を備える抽斗構造体の概略正面図である。
【図１１】図１０で示したＸＩ−ＸＩラインの拡大断面図である。
【図１２】図１１で示したＸＩＩ−ＸＩＩラインの断面図である。
【図１３】図１１で示したＸＩＩＩ−ＸＩＩＩラインの拡大断面図である。
【図１４】図１１で示したＸＩＶ−ＸＩＶラインの拡大断面図である。
【発明を実施するための形態】
【００２５】
図１はこの発明の第１の実施の形態によるガイドプレート取付具を備える抽斗構造体を示す断面図であって、従来例の図１１に対応するものであり、図２は図１で示したＩＩ−ＩＩラインの拡大断面図であり、図３は図２で示したＩＩＩ−ＩＩＩラインの断面図である。
【００２６】
尚、この実施の形態によるガイドプレート取付具１を除き、抽斗構造体５の収納体５１、抽斗６０及びガイドプレート６７は、図１０で示した従来例の抽斗構造体と同一である。
【００２７】
これらの図を参照して、ガイドプレート取付具１は、アクリル板よりなるガイドプレート６７の前面側（図１の左側）及び背面側（図１の右側）の各々に配置された、上部支持体１１ａ、１１ｂの各々と下部支持体２１ａ、２１ｂの各々とからなる、ポリプロピレン（ＰＰ）樹脂よりなる一対の取付具１０ａ、１０ｂで構成されている。尚、取付具１０ａ、１０ｂは、図２において左右対称に形成されているため、以降では背面側の取付具１０ａについてのみ説明する。又、側板６３に対向する図示しない側板側においても、同様のガイドプレート取付具１によってガイドプレート６７が取付けられている。
【００２８】
上部支持体１１ａは、図２で示す断面状態において保護体６５の半面を囲うようにして下方に延びる板状の第１垂下片１２と、保護体６５の他の半面を囲うようにして下方に延びる板状の第２垂下片１３とを備えている。そして、第１垂下片１２の下部の内面と第２垂下片１３の下部の内面とによって、ガイドプレート６７の上端の角部を含む一部を挟み込むように当接して支持している。
【００２９】
又、第１垂下片１２のガイドプレート６７に当接する下部より上方の位置には開口１４が形成されていると共に、第２垂下片１３には開口１４に抜け止め状態に脱着自在に係合する突起体１５が形成されている。従って、第１垂下片１２と第２垂下片１３とが不用意に離れることが無くなり、第１垂下片１２と第２垂下片１３との間隔が保持されるため、ガイドプレート６７の支持状態が安定する。
【００３０】
更に、第１垂下片１２及び第２垂下片１３における保護体６５及びガイドプレート６７に当接する部分の各々には、リブ４１〜４４の各々が形成されている。従って、保護体６５及びガイドプレート６７との当接部分に応力が集中して係合状態が安定するため、上部支持体１１ａ及びガイドプレート６７が不用意にずれる虞が低減し、ガイドプレート６７の支持状態が更に安定する。
【００３１】
尚、保護体６５への取付け前の上部支持体１１ａは、第１垂下片１２と第２垂下片１３とが開いた状態で、ＰＰ樹脂の射出成形にて一体的に形成されている。このような上部支持体１１ａの形状及び詳細な形状については後述する。
【００３２】
一方、下部支持体２１ａはＰＰ樹脂の射出成形により形成され、側壁６３に対して脱着自在となるようにその上端部を挟み込むように形成された断面逆Ｕ字形状の係合部２２と、係合部２２に接続され、各々が所定間隔で対向した状態で上方に平行に延びる一対の板状の支持部２３ａ、２３ｂとを備えている。そして、ガイドプレート６７の下端の角部を含む一部が、支持部２３ａ、２３ｂに挟み込まれるように支持される。
【００３３】
更に、支持部２３ａ、２３ｂにおける背面側の一方端には、上方に延びる壁部２４が接続されている。そして、ガイドプレート６７の下端の角部の垂直端面は、壁部２４に当接している。従って、前面側の取付具１０ｂの下部支持体２１ｂと併せて、壁部２４によりガイドプレート６７の移動が阻止されるため、ガイドプレート６７の出し入れ方向の支持状態が安定する。
【００３４】
このような取付具１０ａ、１０ｂによって、ガイドプレート６７はその上端の一部と下端の一部との各々が別部材で支持されるため、図１で示す側板６３の上端と保護体６５との種々の距離Ｈ１に対応することができる。従って、この距離Ｈ１に応じて設定されるガイドプレート６７の上下の大きさに拘わらず支持が可能となる。
【００３５】
又、取付具１０ａ、１０ｂの各々は、側板６３及び保護体６５に脱着自在に係合しているため、その位置を出し入れ方向に自在に変更することができる。従って、ガイドプレート６７の出し入れ方向の種々の幅Ｌ１に対応することができると共に、ガイドプレート６７を出し入れ方向の所望の位置に取付けることができる。
【００３６】
更に、ガイドプレート６７は上端及び下端の角部の各々が支持されており、従来例のように端部全体が拘束されていないため、ガイドプレート６７に対する捩りや衝撃が拡散され易くなる。従って、ガイドプレート６７が破損し難くなる効果も奏する。
【００３７】
次に、保護体６５への取付け前の状態の上部支持体１１ａ、１１ｂについて説明する。
【００３８】
図４は図１で示した上部支持体の取付け前の状態を示す側面図であり、図５は図４で示したＶ−Ｖラインから見た図である。
【００３９】
これらの図を参照して、上述のように保護体６５への取付け前の状態の上部支持体１１は、第１垂下片１２が一方（図の下方）に延びており、折り曲げ部１９を介して第２垂下片１３が他方（図の上方）に延びるように一体的に形成されている。そして、上部支持体１１はＰＰ樹脂によって形成され、第１垂下片１２と第２垂下片１３との接続部分（折り曲げ部１９）は肉厚が薄く形成されているため、図４の一点鎖線矢印で示すように、折り曲げ部１９を軸として第２垂下片１３は下方側へ折り曲げ自在となる。そして、突起体１５を開口１４に係合することで、保護体６５を囲うように上部支持体１１を取付けることができる。従って、抽斗の前扉と背板とを掛け渡すように取付けられた、即ち両端が固定された保護体６５への取付けが容易となる。
【００４０】
尚、上述した側板６３及び保護体６５の各々に当接するリブ４１〜４４の各々は、抽斗の出し入れ方向（図５の左右方向）に対して複数形成されており、当接状態を安定させている。
【００４１】
次に、この実施の形態のガイドプレート取付具によるガイドプレートの取付方法について説明する。
【００４２】
図６は図１で示したガイドプレート取付具によるガイドプレートの取付方法を示した概略図である。
【００４３】
まず（１）を参照して、下部支持体２１を側壁６３の上方から降下させ、係合部２２を側板６３の上端部に係合させる。次に（２）を参照して、側板６３に係合した下部支持体２１の支持部２３ａ、２３ｂの間に、ガイドプレート６７を上方から降下させる。この時、ガイドプレート６７の下端における角部が下部支持体２１の壁部２４に当接するように設置する。
【００４４】
次に（３）を参照して、上部支持体１１の第１垂下片１２が、保護体６５の半面を囲うと共に、下部がガイドプレート６７の上端の一部に当接するように配置する。そして、矢印で示すように、折り曲げ部１９を軸として第２垂下片１３を下方へ回転させる。
【００４５】
次に（４）を参照して、上部支持体１１の第２垂下片１３を下方へ回転させると、保護体６５の他の半面が第２垂下片１３に囲まれると共に、第２垂下片１３の下部がガイドプレート６７の上端の一部に当接する。そして、この状態で第２垂下片１３の突起体１５を第１垂下片１２の開口１４に挿入して係合させる。すると、ガイドプレート６７の取付けが完了する。
【００４６】
図７は図１で示したガイドプレート取付具を備える他の抽斗構造体を示す断面図である。
【００４７】
尚、この抽斗構造体６にあっては、図２で示した抽斗構造体と比べ、特にガイドプレート６８の寸法が相違している。
【００４８】
図を参照して、抽斗構造体６の抽斗６０における側板６３と保護体６５との間の距離Ｈ２は、図２で示す距離Ｈ１より短くなっている。従って、ガイドプレート６８の上下の大きさも、図２で示すガイドプレートより小さくなる。更に、ガイドプレート６８の出し入れ方向の幅Ｌ２（左右の大きさ）も、図２で示すガイドプレートより小さなものとなっている。
【００４９】
そして、このように上下の大きさが相違するガイドプレート６８であっても、取付具１０ａ、１０ｂの上部支持体１１ａ、１１ｂ及び下部支持体２１ａ、２１ｂの各々によって、ガイドプレート６８の上端及び下端を支持することができる。更に、出し入れ方向の幅が相違するガイドプレート６８であっても、出し入れ方向における所望の位置（例えば、図で示す中央部分）に設置することができる。
【００５０】
図８はこの発明の第２の実施の形態によるガイドプレート取付具の上部支持体の取付け前の状態を示す側面図であって、第１の実施の形態の図４に対応するものである。
【００５１】
図を参照して、この実施の形態によるガイドプレート取付具の上部支持体３０にあっては、第２垂下片１３に対して第１垂下片１２の開口１４に脱着自在に係合する突起体１５ａ〜１５ｃが複数形成されている点が相違している。即ち、最先端に位置する第１突起体１５ａ、中間に位置する第２突起体１５ｂ及び最後方に位置する第３突起体１５ｃが前後（図の左右方向）に並行して形成されている。
【００５２】
次に、このような上部支持体３０の使用形態について説明する。
【００５３】
図９は図８で示した上部支持体を示す断面図であって、第１の実施の形態の図２に対応するものであり、（１）は第１の使用形態を示すものであり、（２）は第２の使用形態を示すものである。
【００５４】
まず（１）を参照して、上部支持体３０における、厚さＴ１のガイドプレート６７ａを支持する第１の使用形態においては、第１突起体１５ａを開口１４に係合させる。すると、第１垂下片１２の下部と第２垂下片１３の下部とがガイドプレート６７ａに対応した間隔となるため、厚さＴ１のガイドプレート６７ａが安定して支持される。
【００５５】
次に（２）を参照して、（１）で示すガイドプレート６７ａより薄い厚さＴ２のガイドプレート６７ｂを支持する第２の使用形態においては、第２突起体１５ｂを開口１４に係合させる。すると、（１）で示す第１の使用形態よりも第１垂下片１２の下部と第２垂下片１３の下部との間隔が狭くなり、厚さＴ２のガイドプレート６７ｂに対応する。従って、厚さＴ２のガイドプレート６７ｂが安定して支持される。
【００５６】
尚、第３突起体１５ｃを開口１４に係合させると、（２）で示す第２の使用形態より第１垂下片１２の下部と第２垂下片１３の下部との間隔が更に狭くなり、より薄いガイドプレートの取付けが可能となる。
【００５７】
このように、前後に並行する複数の突起体１５ａ〜１５ｃを設けることによって、種々の厚さのガイドプレート６７ａ、６７ｂを安定して支持することができる。
【００５８】
尚、上記の各実施の形態では、ガイドプレート取付具はＰＰ樹脂によって構成されているが、例えばポリエチレン樹脂等、他の合成樹脂によって構成されていても良い。又は、合成樹脂以外の素材で構成されていても良い。
【００５９】
又、上記の各実施の形態では、ガイドプレート取付具はアクリル板よりなるガイドプレートに対して使用されているが、例えばガラス板等、矩形板形状であれば他の素材よりなるガイドプレートに対しても同様に適用できることは言うまでも無い。
【００６０】
更に、上記の各実施の形態では、ガイドプレート取付具は丸棒状の保護体に対して使用されているが、例えば四角棒状等、保護体は棒状に形成されていれば他の形状であっても良い。その場合、上部支持体の第１垂下片及び第２垂下片は、その形状の保護体を囲うような形状となるように形成すれば良い。
【００６１】
更に、上記の各実施の形態では、特定形状の上部支持体を備えているが、保護体に脱着自在に取付けられ、ガイドプレートの上端の一部を支持することができるものであれば、上部支持体は他の形状であっても良い。
【００６２】
更に、上記の各実施の形態では、特定形状の下部支持体を備えているが、側板に脱着自在に取付けられ、ガイドプレートの下端の一部を支持することができるものであれば、下部支持体は他の形状であっても良い。
【００６３】
更に、上記の各実施の形態では、上部支持体及び下部支持体の各々はガイドプレートの上端及び下端の角部を含む一部を支持するように設置されているが、上端の一部及び下端の一部が支持されていれば、例えば中央等、他の位置を支持するように構成して設置していても良い。
【００６４】
更に、上記の各実施の形態では、下部支持体には壁部が形成されているが、ガイドプレートの移動を許容できる場合などには、壁部は無くても良い。
【００６５】
更に、上記の各実施の形態では、上部支持体は第１垂下片の開口と第２垂下片の突起体とによって取付状態が保持されているが、第１垂下片の一部と第２垂下片の一部との間でガイドプレートを当接状態で支持できれば、他の構造で取付状態が保持されていても良い。
【００６６】
更に、上記の第２の実施の形態では、突起体が３つ形成されているが、突起体は２つ以上形成されていれば良い。
【符号の説明】
【００６７】
１…ガイドプレート取付具
１０…取付具
１１、３０…上部支持体
１２…第１垂下片
１３…第２垂下片
１４…開口
１５…突起体
１９…折り曲げ部
２１…下部支持体
２４…壁部
６０…抽斗
６３…側板
６５…保護体
６７、６８…ガイドプレート
尚、各図中同一符号は同一又は相当部分を示す。
【図１】
0005689754.tif 000002
【図２】
0005689754.tif 000003
【図３】
0005689754.tif 000004
【図４】
0005689754.tif 000005
【図５】
0005689754.tif 000006
【図６】
0005689754.tif 000007
【図７】
0005689754.tif 000008
【図８】
0005689754.tif 000009
【図９】
0005689754.tif 000010
【図１０】
0005689754.tif 000011
【図１１】
0005689754.tif 000012
【図１２】
0005689754.tif 000013
【図１３】
0005689754.tif 000014
【図１４】
0005689754.tif 000015